(57)【要約】【課題】板状のワークの前後に立上り部を折曲げ加工するとき、両立上り部の間隔寸法を小さくすることのできるワーク供給装置を提供する。【解決手段】プレスブレーキに対して板状のワークの供給を行うワーク供給装置であって、プレスブレーキ３に対してＸ，Ｙ，Ｚ軸方向へ移動自在なベースフレーム１３に備えたＹ軸方向のガイド部材１５の両端部を、ベースフレーム３においてＹ軸方向へ最も突出した形態に備え、前記ガイド部材１５に沿って移動自在なスライダ１７を、前記ガイド部材１５の端部に位置決め自在に備え、このスライダ１７のＹ軸方向の中央部に、ワークＷを保持自在なワーク保持手段１９を備えている。【選択図】図１
2019013977.tif 000002
【特許請求の範囲】
【請求項１】
プレスブレーキに対して板状のワークの供給を行うワーク供給装置であって、プレスブレーキに対してＸ，Ｙ，Ｚ軸方向へ移動自在なベースフレームに備えたＹ軸方向のガイド部材の両端部を、ベースフレームにおいてＹ軸方向へ突出した形態に備え、前記ガイド部材に沿って移動自在なスライダを、前記ガイド部材の端部に位置決め自在に備え、このスライダのＹ軸方向の中央部に、ワークを保持自在なワーク保持手段を備えていることを特徴とするワーク供給装置。
【請求項２】
請求項１に記載のワーク供給装置において、前記ベースフレームに、前記ガイド部材に沿って前記スライダを移動するための駆動手段を備え、この駆動手段と前記スライダとの間に、前記駆動手段のストローク長を増大して前記スライダに伝達するためのストローク長増大機構を備えていることを特徴とするワーク供給装置。
【請求項３】
請求項２に記載のワーク供給装置において、前記駆動手段はロッドレスシリンダであり、前記ストローク長増大機構はリンク機構であることを特徴とするワーク供給装置。
【請求項４】
請求項２又は３に記載のワーク供給装置において、前記スライダのＸ軸方向の端部に、ワーク保持手段を備えた補助スライダを着脱可能に備えていることを特徴とするワーク供給装置。
【請求項５】
プレスブレーキに対して板状のワークの供給を行うワーク供給装置であって、プレスブレーキに対してＸ，Ｙ，Ｚ軸方向へ移動自在なベースフレームにＹ軸方向のガイド部材を備え、前記ガイド部材に沿って移動自在なスライダにＸ軸方向のガイド部材を備え、このガイド部材に沿ってＸ軸方向へ移動自在なＸ方向スライダに、ワークを保持自在なワーク保持手段を備えていることを特徴とするワーク供給装置。
【請求項６】
請求項５に記載のワーク供給装置において、前記Ｘ方向スライダは、前記ベースフレームに対してＹ軸方向へ突出自在かつＸ軸方向へ突出自在であることを特徴とするワーク供給装置。
【発明の詳細な説明】
【技術分野】
【０００１】
本発明は、プレスブレーキにおける上下の金型（パンチ、ダイ）の間へ板状のワークを供給するワーク供給装置に関する。さらに詳細には、板状のワークの前後両側に立上り部を折曲げ加工するに際して、両側の立上り部の間隔寸法を、例えばバキュームパッドの直径より僅かに大きな間隔に保持して折曲げ加工を行うことのできるワーク供給装置に関する。
【背景技術】
【０００２】
プレスブレーキによって板状のワークの折曲げ加工を行うとき、例えば産業用ロボット等のごときワーク供給装置を用いてワークの供給を行うことが提案されている（例えば、特許文献１参照）。
【先行技術文献】
【特許文献】
【０００３】
【特許文献１】特開平７−３２３３３４号公報
【発明の概要】
【発明が解決しようとする課題】
【０００４】
特許文献１に記載の構成は、産業用ロボットにおけるロボットアームの先端部に、ベースフレームを備えた構成である。このベースフレームは、ロボットアームの動作に従して左右方向（Ｘ軸方向）、前後方向（Ｙ軸方向）及び上下方向（Ｚ軸方向）へ移動自在に備えられている。そして、前記ベースフレームにはＹ軸方向のガイド部材が備えられており、このガイド部材には、ワーク保持手段としてのバキュームパッドを備えたスライダが移動自在に備えられている。さらに、前記ベースフレームは、前後を反転するように旋回自在に備えられている。
【０００５】
したがって、前記スライダをＹ軸方向の後側へ移動し、前記バキュームパッドをプレスブレーキに最接近した位置に位置決めして、ワークの後側の折曲げ加工（１回目の折曲げ加工）を行うことができる。その後、前記ベースフレームの前後を反転し、スライダを再び後側へ移動して、前側であった部分の折曲げ加工（２回目の折曲げ加工）を行うことにより、ワークの前側及び後側に立上り部を折曲げ加工することができる（特許文献の図３参照）。
【０００６】
ここで、前記スライダを前後動するための駆動手段としてロッドレスシリンダが使用されている。ロッドレスシリンダは、シリンダチューブの両端部にヘッドカバーを備えた構成である。そして、シリンダチューブ内に備えた内部磁石と一体的に移動する外部磁石を前記スライダに備えた構成が一般的である。
【０００７】
したがって、スライダをロッドレスシリンダの両端部へ移動位置決めしたとき、スライダは、前記ヘッドカバーから突出することはないものである。よって、前述したように、ワークの前後両側に立上り部を折曲げ加工するとき、前後の立上り部の間隔は、前記スライダの前後方向の中心部からヘッドカバーまでの寸法と、ヘッドカバーの厚さ寸法と、ヘッドカバーの端面から折曲げ加工位置までのＹ軸方向の寸法との和の２倍になる。したがって、前後の立上り部の間隔寸法がより小さいワークの折曲げ加工が困難であった。
【課題を解決するための手段】
【０００８】
本発明は、前述のごとき問題に鑑みてなされたもので、プレスブレーキに対して板状のワークの供給を行うワーク供給装置であって、プレスブレーキに対してＸ，Ｙ，Ｚ軸方向へ移動自在なベースフレームに備えたＹ軸方向のガイド部材の両端部を、ベースフレームにおいてＹ軸方向へ突出した形態に備え、前記ガイド部材に沿って移動自在なスライダを、前記ガイド部材の端部に位置決め自在に備え、このスライダのＹ軸方向の中央部に、ワークを保持自在なワーク保持手段を備えていることを特徴とするものである。
【０００９】
また、前記ワーク供給装置において、前記ベースフレームに、前記ガイド部材に沿って前記スライダを移動するための駆動手段を備え、この駆動手段と前記スライダとの間に、前記駆動手段のストローク長を増大して前記スライダに伝達するためのストローク長増大機構を備えている。
【００１０】
また、前記ワーク供給装置において、前記駆動手段はロッドレスシリンダであり、前記ストローク長増大機構はリンク機構である。
【００１１】
また、前記ワーク供給装置において、前記スライダのＸ軸方向の端部に、ワーク保持手段を備えた補助スライダを着脱可能に備えている。
【００１２】
また、プレスブレーキに対して板状のワークの供給を行うワーク供給装置であって、プレスブレーキに対してＸ，Ｙ，Ｚ軸方向へ移動自在なベースフレームにＹ軸方向のガイド部材を備え、前記ガイド部材に沿って移動自在なスライダにＸ軸方向のガイド部材を備え、このガイド部材に沿ってＸ軸方向へ移動自在なＸ方向スライダに、ワークを保持自在なワーク保持手段を備えていることを特徴とするものである。
【００１３】
また、前記ワーク供給装置において、前記Ｘ方向スライダは、前記ベースフレームに対してＹ軸方向へ突出自在かつＸ軸方向へ突出自在である。
【発明の効果】
【００１４】
本発明によれば、ワーク保持手段を備えたスライダをガイド部材の端部に位置決めすると、前記ワーク保持手段の一部は、ベースフレームの端部に一致した状態又はベースフレームの端部から突出した状態に位置決めすることができる。したがって、プレスブレーキにおける折曲げ加工位置からワーク保持手段までの寸法をより小さくすることができるものである。
【図面の簡単な説明】
【００１５】
【図１】本発明の実施形態に係るワーク供給装置の側面説明図である。
【図２】ワーク供給装置の主要部を示す斜視説明図である。
【図３】ワーク供給装置の主要部を示す平面説明図である。
【図４】ワーク供給装置の主要部を示す平面説明図である。
【図５】第２の実施形態に係るワーク供給装置の主要部を示す斜視説明図である。
【図６】第２の実施形態に係るワーク供給装置の主要部を示す平面説明図である。
【図７】第２の実施形態に係るワーク供給装置の主要部を示す平面説明図である。
【図８】本発明の第３の実施形態に係るワーク供給装置の主要部を示す斜視説明図である。
【図９】本発明の第３の実施形態に係るワーク供給装置の主要部を示す斜視説明図である。
【図１０】本発明の第３の実施形態に係るワーク供給装置の主要部を示す斜視説明図である。
【図１１】本発明の第３の実施形態に係るワーク供給装置の主要部を示す斜視説明図である。
【図１２】第３の実施形態に係るワーク供給装置の主要部を示す側面説明図である。
【図１３】第３の実施形態に係るワーク供給装置の主要部を示す側面説明図である。
【図１４】第３の実施形態に係るワーク供給装置の主要部を示す平面説明図である。
【図１５】第３の実施形態に係るワーク供給装置の主要部を示す平面説明図である。
【発明を実施するための形態】
【００１６】
図１に概念的、概略的に示すように、本発明の実施形態に係るワーク供給装置１は、プレスブレーキ３（全体的構成は図示省略）における下部テーブル５の前側に配置してある。より詳細には、前記ワーク供給装置１は、プレスブレーキ３の前側に配置した産業用ロボット７（全体的構成は図示省略）から構成してある。
【００１７】
産業用ロボット７におけるロボットアーム９の先端部には、ロボットアーム９の長手方向に対して直交する方向の水平なリスト軸（図示省略）の軸心回りに上下方向に回動自在なアームリスト１１が備えられている。そして、このアームリスト１１には、ベースフレーム１３が備えられている。このベースフレーム１３は、前記リスト軸の軸心に対して直交する方向の軸心回りに回動自在（図１においては垂直な軸心回りに水平に回動自在）に備えられている。すなわち、前記ベースフレーム１３は、前後を反転自在に備えられている。
【００１８】
前記ベースフレーム１３は、前記産業用ロボット７の動作によって、プレスブレーキ３に対して左右方向（Ｘ軸方向）、前後方向（Ｙ軸方向）及び上下方向（Ｚ軸方向）に移動自在に備えられている。そして、前記ベースフレーム１３の上部には、Ｙ軸方向のガイド部材１５が備えられている。このガイド部材１５のＹ軸方向の両端部は、図１に示すように、Ｙ軸方向へ最も突出した形態に備えられている。換言すれば、ベースフレーム１３の下部は、ガイド部材１５のＹ軸方向の長さよりも短く形成してある。
【００１９】
そして、前記ガイド部材１５には、図２に示すように、Ｘ軸方向に長いスライダ１７がＹ軸方向に移動自在に案内支承されている。このスライダ１７の上面には、ワークＷを保持自在なワーク保持手段としての複数のバキュームカップ１９がＸ軸方向に適宜間隔に備えられている。前記バキュームカップ１９は、前記スライダ１７のＹ軸方向の中央部においてＸ軸方向に整列して備えられている。そして、前記バキュームカップ１９の直径は、前記スライダ１７のＹ軸方向の幅寸法とほぼ等しい径に、又は幅寸法よりも僅かに大きな直径に構成してある。
【００２０】
前記ガイド部材１５の端部にスライダ１７を位置決めした際には、図１に示すように、スライダ１７における前後方向の側面が、ガイド部材１５の端部から僅かに突出した形態に位置決めされるように構成してある。したがって、前記ガイド部材１５の端部にスライダ１７を位置決めしたときには、前記バキュームカップ１９の一部は、前記ガイド部材１５の端部から僅かに突出した形態となり得るものである。
【００２１】
したがって、図１に示すように、ベースフレーム１３を、プレスブレーキ３におけるダイベース２１に最接近したとき、スライダ１７を、前記ダイベース２１に保持されたダイ２３に最接近することができる。この際、スライダ１７の前後方向の中央部からダイ２３の曲げ位置までの距離Ｌを小さくすることができる。なお、バキュームカップ１９をダイ２３の前面（図１においての右側面）に接触することも可能である。すなわち、バキュームカップ１９の中心部からダイ２３の曲げ位置までの寸法を、（バキュームカップ１９の半径Ｒ＋ダイ２３の肩幅の寸法）とすることも可能なものである。
【００２２】
前記スライダ１７のＸ軸方向の両端部には、バキュームカップ１９を備えた補助スライダ１７Ａ（図２参照）が着脱可能に備えられている。したがって、ワークＷのＸ軸方向の寸法が長くなった場合には、ワークＷにおけるＸ軸方向の両端部が自重によって撓むことを防止できる。よって、前記ダイ２３にワークＷを供給載置するとき、ワークＷのＸ軸方向の両端部とダイ２３との干渉を生じることなく供給することができるものである。
【００２３】
ところで、前記ガイド部材１５に沿って前記スライダ１７を移動するための駆動手段として、前記ベースフレーム１３には、Ｙ軸方向のロッドレスシリンダ２５が備えられている。ロッドレスシリンダ２５は、前後方向の複数のシリンダチューブ２７の両端部にヘッドカバー２９を備えた構成である。そして、前記シリンダチューブ２７には、シリンダチューブ２７内のピストン（図示省略）と一体的にＹ軸方向に移動するスライドブロック３１が備えられている。
【００２４】
前記ロッドレスシリンダ２５は、前記ガイド部材１５より短く構成してある。したがって、前記スライドブロック３１のＹ軸方向のストローク長は、前記ガイド部材１５のＹ軸方向の長さよりも短いものである。そこで、前記スライダ１７を、前記ガイド部材１５の両端部に達するように移動するために、前記スライドブロック３１に対して前記スライダ１７のストローク長を増大するためのストローク長増大機構３３が備えられている。
【００２５】
上記ストローク長増大機構３３は、本実施形態においてはリンク機構から構成してある。すなわち、図２に示すように、前記ベースフレーム１３のＹ軸方向の中間位置であって、Ｘ軸方向の一側には支持ブロック３５が備えられている。この支持ブロック３５には、リンク部材３７の一端部が、枢軸３９を介して水平に揺動自在に枢支されている。
【００２６】
そして、前記リンク部材３７の他端側に備えたスロット４１Ａには、前記スライダ１７のＸ軸方向の中間位置に備えたヒンジピン（図示省略）が摺動自在に嵌入してある。前記リンク部材３７の長手方向の中間位置には、リンク部材３７の長手方向と平行なスロット４１Ｂが備えられている。そして、上記スロット４１Ｂには、前記スライドブロック３１に一体的に立設したピン４３が相対的に摺動自在に係合してある。
【００２７】
したがって、ロッドレスシリンダ２５におけるスライドブロック３１がＹ軸方向に移動すると、スライドブロック３１のＹ軸方向のストローク長は、リンク部材３７を介して増大して前記スライダ１７に伝達される。よって、前記スライドブロック３１のストローク長がガイド部材１５のＹ軸方向の長さより短い場合であっても、スライダ１７を、ガイド部材１５の両端部に移動位置決めすることができる。
【００２８】
既に理解されるように、図１に示すように、スライダ１７を、ガイド部材１５における一方の端部に位置決めして、ワークＷの一側の折曲げ加工を行う。その後、ベースフレーム１３の前後を反転する。そして、スライダ１７をガイド部材１５における他方の端部に位置決めして、ワークＷの他側の折曲げ加工を行うことにより、ワークＷの前後両側に立上り部を折曲げ加工することができる。
【００２９】
この場合、ワークＷを保持したバキュームカップ１９がダイ２３の前面に接触するように位置決めすることが可能である。したがって、ワークＷにおける前後の立上り部の間隔寸法を、（バキュームパッド１９の直径＋ダイ２３における肩幅の２倍）の寸法にすることが可能であり、前後の立上り部の間隔寸法を小さくすることができるものである。
【００３０】
図５〜図７は、本発明の第２の実施形態を示す説明図である。なお、第２の実施形態において、前述した構成要素と同一機能を奏する構成要素には同一符号を付することとして、重複した説明は省略する。
【００３１】
第２の実施形態においては、前記スライダ１７をＹ軸方向に移動するための駆動手段として、通常の流体圧シリンダ４５を採用している。すなわち、流体圧シリンダ４５は、ベースフレーム１３に備えたブラケット４７に枢軸４９を介して水平に揺動可能に備えられている。そして、流体圧シリンダ４５に出入自在（伸縮自在）に備えたピストンロッド４５Ｐの先端部は、枢軸５１を介してベルクランク５３の基端部と枢支連結してある。このベルクランク５３はストローク長増大機構３３の一部を構成するものである。
【００３２】
前記ベルクランク５３の屈曲部付近は、前記ベースフレーム１３に備えたブラケット５５に枢軸５７を介して水平に揺動自在に支持されている。そして、前記ベルクランク５３の先端部は、ヒンジピン５９を介してリンク部材６１の先端部と枢支連結してある。前記リンク部材６１の基端部は、前記スライダ１７の中央部付近に枢軸（図示省略）を介して枢着してある。
【００３３】
前記構成において、図５，６に示すように、スライダ１７がＹ軸方向の一端側に位置するときに、流体圧シリンダ４５におけるピストンロッド４５Ｐを引き込み作動すると、ストローク長増大機構の一部を構成するベルクランク５３、リンク部材６１を介して、スライダ１７は、図７に示すように、Ｙ軸方向の他端側に移動される。
【００３４】
したがって、この第２の実施形態においても、前述した第１の実施形態と同様の効果を奏し得るものである。
【００３５】
なお、本発明は、前述したごとき実施形態に限ることなく、適宜の変更を行うことにより、その他の形態でもって実施可能なものである。すなわち、リンク機構としては、前述したごときリンク機構に限ることなく、例えばパンタグラフ機構を使用することも可能である。また、ストローク長増大機構としては、大径シリンダと小径シリンダを組合せた構成として、大径シリンダのストローク長に対して小径シリンダのストローク長を増大する構成とすることも可能である。すなわち、ストローク長増大機構としては、種々の構成を採用することができるものである。
【００３６】
図８〜図１５は、本発明の第３の実施形態を示す説明図である。この第３の実施形態において、前述した構成要素と同一機能を奏する構成要素には同一符号を付することとして、重複した説明は省略する。
【００３７】
この第３の実施形態において、前記スライダ１７に相当するスライダ１７Ａは、Ｘ軸方向のロッドレスシリンダによって構成してある。すなわち、スライダ１７Ａは、ロッドレスシリンダを構成するＸ軸方向のシリンダチューブ６５を備えている。そして、シリンダチューブ６５の両端部に備えたヘッドカバー６７は、Ｘ軸方向の複数のガイド部材６９によって一体的に連結してある。
【００３８】
前記シリンダチューブ６５内には、ピストン（図示省略）がＸ軸方向に移動自在に備えられている。そして、前記シリンダチューブ６５には、前記ピストンと一体的にＸ軸方向に移動するスライドブロック（図示省略）が備えられている。このスライドブロックには、Ｘ方向スライダ７１が一体的に連結されている。そして、前記Ｘ方向スライダ７１は、前記ガイド部材６９に移動自在に支承されている。
【００３９】
前記Ｘ方向スライダ７１は、図８に示すように、板状部材によって構成してある。そして、前記Ｘ方向スライダ７１のＸ軸方向の長さ寸法は、前記スライダ１７ＡのＸ軸方向の長さの約１／２の長さに設定してある。なお、Ｘ方向スライダ７１のＸ軸方向の長さ寸法は、スライダ１７ＡのＸ軸方向の長さの約１／２の長さに限ることなく、例えば１／３の長さでもよいものである。すなわち、Ｘ方向スライダ７１は、ガイド部材６９に沿ってＸ軸方向に移動することにより、Ｘ軸方向の複数箇所に位置決め自在に備えられている。
【００４０】
前記Ｘ方向スライダ７１のＹ軸方向の幅寸法は、図１２に示すように、前記スライダ１７ＡのＹ方向の幅寸法よりも大きく構成してある。すなわち、Ｘ方向スライダ７１は、スライダ１７Ａの前後方向（Ｙ軸方向）の両側に突出した構成である。そして、前記Ｘ方向スライダ７１上には、ワーク保持手段としての複数のバキュームカップ１９が備えられている。
【００４１】
本実施形態においては、前記バキュームカップ１９は、図１２に示すように、Ｘ方向スライダ７１上においてＹ軸方向（前後方向）に複数列備えられている。そして、前後方向の両側付近に備えたバキュームカップ１９の一部は、前記Ｘ方向スライダ７１の前後方向に突出して備えられている。したがって、バキュームカップ１９によってワークＷを保持した状態でもって、バキュームカップ１９を、ダイ２３の前面２３Ｆに接触可能である。また、バキュームカップ１９は、図１４，１５に示すように、ベースフレーム１３のＸ軸方向（左右方向）の側方に突出可能に備えられている。
【００４２】
この実施形態においては、Ｘ方向スライダ７１はベースフレーム１３に対して前後方向及び左右方向に移動自在である。したがって、Ｘ方向スライダ７１は、ベースフレーム１３の左右両側へ位置決めすることができると共に、前後両側へ位置決めすることができるものである。よって、プレスブレーキにおいて左右方向の複数箇所に備えた金型に対応した位置にワークＷを位置決めすることができる。そして、ワークＷの前後を反転しての折曲げ加工を行うことができる。
【００４３】
既に理解されるように、プレスブレーキの左右方向の複数箇所に備えた金型に対応した位置へワークを位置決めしてのステップベンドが容易に行い得る。また、ワークＷの前後反転が容易であることにより、ワークＷの前後反転とステップベンドとが混在した折曲げ加工を行う際、バキュームカップ１９にワークＷを保持した状態でもって連続的に折曲げを行うことができる。したがって、折曲げ加工の能率向上を図ることができるものである。
【符号の説明】
【００４４】
１  ワーク供給装置
３  プレスブレーキ
７  産業用ロボット
１３  ベースフレーム
１５  ガイド部材
１７  スライダ
１９  バキュームカップ（ワーク保持手段）
２３  ダイ
２５  ロッドレスシリンダ（駆動手段）
３１  スライドブロック
３３  ストローク長増大機構
３７  リンク部材
４１Ａ，４１Ｂ  スロット
４３  ピン
４５  流体圧シリンダ
５３  ベルクランク
６１  リンク部材
【図１】
2019013977.tif 000003
【図２】
2019013977.tif 000004
【図３】
2019013977.tif 000005
【図４】
2019013977.tif 000006
【図５】
2019013977.tif 000007
【図６】
2019013977.tif 000008
【図７】
2019013977.tif 000009
【図８】
2019013977.tif 000010
【図９】
2019013977.tif 000011
【図１０】
2019013977.tif 000012
【図１１】
2019013977.tif 000013
【図１２】
2019013977.tif 000014
【図１３】
2019013977.tif 000015
【図１４】
2019013977.tif 000016
【図１５】
2019013977.tif 000017
【手続補正書】
【提出日】平成30年10月2日(2018.10.2)
【手続補正１】
【補正対象書類名】特許請求の範囲
【補正対象項目名】全文
【補正方法】変更
【補正の内容】
【特許請求の範囲】
【請求項１】
プレスブレーキに対して板状のワークの供給を行うワーク供給装置であって、プレスブレーキに対してＸ，Ｙ，Ｚ軸方向へ移動自在なベースフレームに備えたＹ軸方向のガイド部材に沿って移動自在なスライダを、前記ガイド部材の端部に位置決め自在に備え、このスライダに、ワークを保持自在なワーク保持手段を備え、このワーク保持手段の一部を、前記ガイド部材の端部から突出自在に備えていることを特徴とするワーク供給装置。
【請求項２】
請求項１に記載のワーク供給装置において、前記ベースフレームに、前記ガイド部材に沿って前記スライダを移動するための駆動手段を備え、この駆動手段と前記スライダとの間に、前記駆動手段のストローク長を増大して前記スライダに伝達するためのストローク長増大機構を備えていることを特徴とするワーク供給装置。
【請求項３】
請求項２に記載のワーク供給装置において、前記駆動手段はロッドレスシリンダであり、前記ストローク長増大機構はリンク機構であることを特徴とするワーク供給装置。
【請求項４】
請求項２又は３に記載のワーク供給装置において、前記スライダのＸ軸方向の端部に、ワーク保持手段を備えた補助スライダを着脱可能に備えていることを特徴とするワーク供給装置。
【請求項５】
プレスブレーキに対して板状のワークの供給を行うワーク供給装置であって、プレスブレーキに対してＸ，Ｙ，Ｚ軸方向へ移動自在なベースフレームにＹ軸方向のガイド部材を備え、前記ガイド部材に沿って移動自在なスライダにＸ軸方向のガイド部材を備え、このガイド部材に沿ってＸ軸方向へ移動自在なＸ方向スライダに、ワークを保持自在なワーク保持手段を備え、このワーク保持手段の一部を、前記ガイド部材の端部から突出自在に備えていることを特徴とするワーク供給装置。
【請求項６】
請求項５に記載のワーク供給装置において、前記Ｘ方向スライダは、前記ベースフレームに対してＹ軸方向へ突出自在かつＸ軸方向へ突出自在であることを特徴とするワーク供給装置。
【手続補正２】
【補正対象書類名】明細書
【補正対象項目名】０００８
【補正方法】変更
【補正の内容】
【０００８】
本発明は、前述のごとき問題に鑑みてなされたもので、プレスブレーキに対して板状のワークの供給を行うワーク供給装置であって、プレスブレーキに対してＸ，Ｙ，Ｚ軸方向へ移動自在なベースフレームに備えたＹ軸方向のガイド部材に沿って移動自在なスライダを、前記ガイド部材の端部に位置決め自在に備え、このスライダに、ワークを保持自在なワーク保持手段を備え、このワーク保持手段の一部を、前記ガイド部材の端部から突出自在に備えていることを特徴とするものである。
【手続補正３】
【補正対象書類名】明細書
【補正対象項目名】００１２
【補正方法】変更
【補正の内容】
【００１２】
また、プレスブレーキに対して板状のワークの供給を行うワーク供給装置であって、プレスブレーキに対してＸ，Ｙ，Ｚ軸方向へ移動自在なベースフレームにＹ軸方向のガイド部材を備え、前記ガイド部材に沿って移動自在なスライダにＸ軸方向のガイド部材を備え、このガイド部材に沿ってＸ軸方向へ移動自在なＸ方向スライダに、ワークを保持自在なワーク保持手段を備え、このワーク保持手段の一部を、前記ガイド部材の端部から突出自在に備えていることを特徴とするものである。